(57)【要約】【課題】室内空気を除菌ならびに加湿にに使用される除菌加湿装置において、除菌効率をさらに高くすることを目的とする。【解決手段】吸気口２と吹出口３とを有する本体ケース１内に、吸気口２から吹出口３に送風する送風手段４と、この送風手段４の送風路に保水手段を設け、この保水手段は水槽９と、この水槽に常に所定水位まで給水する給水タンク６と、水槽９の水に一部が浸漬した略円筒形状の吸い上げ式の加湿フィルタ１１と、この加湿フィルタ１１を固定する取付枠１０と、この取付枠１０を回動させる回転手段１２とから形成し、水槽９には除菌手段７を設け、除菌手段７は、水槽９の水に常に浸かるように設けた電極板１７と、この電極板に電圧を印加する電圧印加部１８とから形成し、加湿フィルタ１１は、加湿フィルタ１１の内面から所定の距離までは、水槽の水に浸漬しないことを特徴とする除菌加湿装置。【選択図】図２
2013044458.tif 000002
【特許請求の範囲】
【請求項１】
吸気口と吹出口とを有する本体ケースと、この本体ケース内に、前記吸気口から前記吹出口に送風する送風手段と、この送風手段の送風路に保水手段を設け、この保水手段は水槽と、この水槽に常に所定水位まで給水する給水部と、前記水槽の水に一部が浸漬した略円筒形状の吸い上げ式の保水部と、この保水部を固定する取付枠と、この取付枠を回動させる回転手段とから形成し、前記水槽には除菌手段を設け、前記除菌手段は、前記水槽の水に常に浸かるように設けた電極板と、この電極板に電圧を印加する電圧印加部とから形成し、前記保水部は、前記保水部の内面から所定の距離までは、前記水槽の水に浸漬しないことを特徴とする除菌加湿装置。
【請求項２】
前記保水部は、フィルタを複数重ねて形成したことを特徴とする請求項１に記載の除菌加湿装置。
【請求項３】
前記保水部は、２枚の第１の層の間に第２の層を挟んだ３層構造であり、第２の層は第１の層に対し垂直方向の複数の連結糸により形成し、これらの連結糸に囲まれた複数の連通孔を備えたフィルタで形成したことを特徴とする請求項１に記載の除菌加湿装置。
【請求項４】
前記フィルタの前記取付枠の内方には、複数の風向変更手段を所定の位置に設け、これら風向変更手段のうち最下部に位置する風向変更手段は、前記送風手段の送風方向における風上側から風下側に向けて下方向へ傾斜することを特徴とする請求項１から３のいずれかに記載の除菌加湿装置。
【発明の詳細な説明】
【技術分野】
【０００１】
本発明は、除菌作用を成す金属薄板製の電極から得られる電解水を、保水部分に吸水させ、送風手段で保水した保水部分と空気が接触することにより、室内空気を除菌ならびに加湿する除菌加湿装置に関する。
【背景技術】
【０００２】
この種の除菌加湿装置として、空気吸気口と吹出口とを有する本体ケースと、本体ケース内に設けられた送風手段と、その送風手段の送風路に吸い上げ式の保水手段と本体ケースに設けられた水槽と、この水槽に常に所定水位まで給水する給水タンクと、水槽内の水の除菌作用を成す金属薄板製の除菌用電極とを備えた除菌加湿装置が知られている。
【先行技術文献】
【特許文献】
【０００３】
【特許文献１】特開２００５−９８５６１号公報
【発明の概要】
【発明が解決しようとする課題】
【０００４】
このような従来の除菌加湿装置において、除菌効率をさらに高くすることであった。
【０００５】
静置型吸い上げ方式の保水部は、除菌電解水を吸い上げる際、保水部の表面積を増やすために高さを高くすると、上方には十分吸いあがらないので、保水部全体に均等に保水できないものであった。これにより、保水部を通過する空気が電解水と十分に接触できないため、除菌効率が上がらないという課題を有していた。そこで、本発明は上記従来の課題を解決するものであり、上方への保水量を増加させ、保水部分が空気と十分接触することにより、除菌効率をさらに高くすることを目的とする。
【課題を解決するための手段】
【０００６】
吸気口と吹出口とを有する本体ケースと、この本体ケース内に、前記吸気口から前記吹出口に送風する送風手段と、この送風手段の送風路に保水手段を設け、この保水手段は水槽と、この水槽に常に所定水位まで給水する給水部と、前記水槽の水に一部が浸漬した略円筒形状の吸い上げ式の保水部と、この保水部を固定する取付枠と、この取付枠を回動させる回転手段とから形成し、前記水槽には除菌手段を設け、前記除菌手段は、前記水槽の水に常に浸かるように設けた電極板と、この電極板に電圧を印加する電圧印加部とから形成し、前記保水部は、前記保水部の内面から所定の距離までは、前記水槽の水に浸漬しないことを特徴とする除菌装置であり、これにより所期の目的を達成するものである。
【発明の効果】
【０００７】
本発明によれば、吸気口と吹出口とを有する本体ケースと、この本体ケース内に、前記吸気口から前記吹出口に送風する送風手段と、この送風手段の送風路に保水手段を設け、この保水手段は水槽と、この水槽に常に所定水位まで給水する給水部と、前記水槽の水に一部が浸漬した略円筒形状の吸い上げ式の保水部と、この保水部を固定する取付枠と、この取付枠を回動させる回転手段とから形成し、前記水槽には除菌手段を設け、前記除菌手段は、前記水槽の水に常に浸かるように設けた電極板と、この電極板に電圧を印加する電圧印加部とから形成し、前記保水部は、前記保水部の内面から所定の距離までは、前記水槽の水に浸漬しないことを特徴とすることにより、除菌効率をさらに高くすることができるものである。
【０００８】
すなわち、保水部の内面から所定の距離まで水槽の水に浸漬しない構成としたので、水槽の水に浸かっていない部分、つまり送風される空気が通過する保水部の面積の減少を抑制できる。それと共に、保水部は吸い上げ式なので、水に浸かっていない部分にも水が吸い上げられ、更に、保水部を回動させることにより吸水した水は、上方に持ち上げられ、除菌電解水を保水部全体に保水させることができる。結果として、保水部分が空気と十分接触することにより、除菌効率をさらに高くすることができる。
【図面の簡単な説明】
【０００９】
【図１】本発明の実施の形態１の除菌加湿装置の概略図
【図２】本発明の実施の形態１の除菌加湿装置の概略断面を示す図
【図３】本発明の実施の形態１の除菌加湿装置の加湿フィルタの概略図
【図４】本発明の実施の形態１の除菌加湿装置の加湿フィルタの概略図
【発明を実施するための形態】
【００１０】
本発明の請求項１記載の除菌加湿装置は、吸気口と吹出口とを有する本体ケースと、この本体ケース内に、前記吸気口から前記吹出口に送風する送風手段と、この送風手段の送風路に保水手段を設け、この保水手段は水槽と、この水槽に常に所定水位まで給水する給水部と、前記水槽の水に一部が浸漬した略円筒形状の吸い上げ式の保水部と、この保水部を固定する取付枠と、この取付枠を回動させる回転手段とから形成し、前記水槽には除菌手段を設け、前記除菌手段は、前記水槽の水に常に浸かるように設けた電極板と、この電極板に電圧を印加する電圧印加部とから形成され、前記保水部は、前記回転手段によって前記取付枠と共に水平方向に延びた回転軸を中心に回転し、前記保水部の内面から所定の距離までは、前記水槽の水に浸漬しないという構成を有する。これにより、すなわち、保水部の内面から所定の距離まで水槽の水に浸漬しない構成としたので、水槽の水に浸かっていない部分、つまり送風される空気が通過する保水部の面積の減少を抑制できる。それと共に、保水部は吸い上げ式なので、水に浸かっていない部分にも水が吸い上げられ、更に、保水部を回動させることにより吸水した水は、上方に持ち上げられ、除菌電解水を保水部全体に保水さることができる。
【００１１】
また、前記保水部を、２枚の第１の層の間に第２の層を挟んだ３層構造であり、第２の層は第１の層に対し垂直方向の複数の連結糸により形成し、これらの連結糸に囲まれた複数の連通孔を備えた加湿フィルタで形成することを特徴としている。以上のように構成された連通孔を構成している複数の連結糸には、保水部が回動したときに水槽から保水部上方にくみ上げられた除菌電解水が防水部全体に毛細管現象によって浸み込まれる。従って、保持された除菌電解水が保水部を通過する際、空気との接触効率が高まり、除菌することができる。
【００１２】
また、前記保水部は、複数枚重ねて形成される。前記加湿フィルタの３層構造を複数に重ねて形成することを特徴としている。以上のように構成された加湿フィルタは、単数においては、連結糸に囲まれた複数の連通孔の開口部の圧力損失が小さく空気が容易に通過してしまう。これを複数重ね合わせることで、１層の加湿フィルタの連通孔の開口面積は、層が内側にいくに従い狭くなっていく。これにより、複数枚重ねられた加湿フィルタを通過する空気は、この開口部の大きさの違いにより抵抗を受け、除菌電解水との接触が大きくなることで、接触効率が増し、除菌効果が高くなる。
【００１３】
また、前記加湿フィルタの前記取付枠の内方には、複数の風向変更手段を所定の位置に設け、これら風向変更手段のうち最下部に位置する風向変更手段は、前記送風手段の送風方向における風上側から風下側に向けて下方向へ傾斜することを特徴とする。以上のように構成された加湿フィルタの取付枠内方に設けられた風向変更手段において、最下部に位置する風向変更手段は、下方向へ傾斜して取付られた羽根に空気が抵抗をうけながら下方向に流れていく。従って電解除菌水と空気との接触時間が増し、除菌効果が高く得られる。
【００１４】
以下、本発明の実施の形態について図面を参照しながら説明する。
【００１５】
（実施の形態１）
図１、２に示すように、本体ケース１は、略箱形状で、本体ケース１の背面には略四角形状の吸気口２を有し、本体ケース１の上面には略四角形状の吹出口３を備えている。この本体ケース１内部には、送風手段４と、保水手段５と、給水部である給水タンク６と、除菌手段７とを備えている。
【００１６】
送風手段４は、本体ケース１に設けられた電動機（図示しない）と羽根（図示しない）とそれらを囲む送風ケース８とから形成している。
【００１７】
保水手段５は、水槽９と、この水槽９に回転自在に装着した取付枠１０と、この取付枠１０の周縁に装着した保水部である加湿フィルタ１１とから形成している。
【００１８】
水槽９は、上面が開口した箱形状で、本体ケース１内の下部に配置され、後述する給水タンク６から常に一定量の水が給水される。水槽９内部には満水、渇水がわかるように磁石で反応するセンサー（図示しない）が設けられており、お手入れがしやすいよう、本体ケース１から引き出して着脱できる構造となっている。
【００１９】
取付枠１０は、略円柱形状で、長さ方向に円板（図示しない）が所定の間隔で複数枚数形成されている。また、片側の端部には本体ケース１内に設けられている回転手段１２によって加湿フィルタ１１を駆動するための歯車（図示しない）が設けられている。
【００２０】
加湿フィルタ１１は、２枚の第１の層１３の間に第２の層１４を挟んだ３層構造で、第２の層１４は第１の層１３に対し、垂直方向の複数の連結糸により形成されている。これらの連結糸に囲まれた複数の多角形で形成された連結繊維の連通孔１５を備えている。このように形成された加湿フィルタ１１は、水を複数に囲まれた連結糸に吸水保持することができ、空気と水との接触を効率的におこなうことが可能となる。
【００２１】
給水タンク６は、本体ケース１内部の正面側に設けられ、着脱式の本体正面ケース１６により、脱着可能な構造となっている。給水タンク６はポリエチレン製の樹脂と、タンクへの給水や排水、お手入れがしやすいよう所定の開口を塞ぐネジ式の蓋（図示しない）で構成されている。ネジ式の蓋には、水槽９への給水ができるようばね式の給水機構が形成されている。
【００２２】
除菌手段７は、水に常に浸かるように設けた電極板１７と、電極板に電圧を印加する電圧印加部１８とから構成されている。水は、電圧を印加された電極板１７により電気分解がおこなわれ次亜塩素酸が生成される。この生成された次亜塩素酸は除菌性能が高く、これを加湿フィルタ１１に吸水させ空気と接触させることにより除菌効果を得ることが可能となる。
【００２３】
送風手段４によって、本体ケース１の吸気口２から吸い込まれた空気が、保水手段５である加湿フィルタ１１へ送風される。ここで、除菌手段７により生成された次亜塩素酸が加湿フィルタ１１に吸水されているので、加湿フィルタ１１で空気と接触させることにより除菌すると共に、加湿するものである。この除菌、および加湿された空気が、吹出口３を介して吹き出すものである。
【００２４】
本実施形態における特徴は、水槽９の水に一部が浸漬した略円筒形状の吸い上げ式の保水部である加湿フィルタ１１を回動させる回転手段１２と、保水部は、保水部の内面から所定の距離までは、水槽９の水に浸漬しない点である。
【００２５】
すなわち、保水部の内面から所定の距離まで水槽の水に浸漬しない構成としたので、水槽９の水に浸かっていない部分、つまり送風される空気が通過する保水部の面積の減少を抑制できる。それと共に、保水部は吸い上げ式なので、水に浸かっていない部分にも水が吸い上げられ、更に、保水部を回動させることにより吸水した水は、上方に持ち上げられ、除菌電解水を保水部全体に保水させることができる。結果として、保水部分が空気と十分接触することにより、除菌効率をさらに高くすることができる。
【００２６】
また、加湿フィルタ１１を複数枚重ねたものでもよい。具体的には、図３、４に示すように、加湿フィルタ１１を３重に重ねて取付枠１０に取り付けた構成で、３重に重ねて取付けられた加湿フィルタ１１の外側から２枚目まで除菌電解水に浸かり、外側から３枚目である内側の加湿フィルタ１１は、除菌電解水に浸からない構造としてもよい。
【００２７】
ここで、外側から３枚目まで除菌電解水に浸かってしまうと、加湿フィルタ１１の通風路の面積が小さくなってしまうことになり圧力損失が大きく、且つ風量が小さくなってしまう。つまり、３重に重ねて取付けられた加湿フィルタ１１の外側から２枚目まで除菌電解水に浸かり外側から３枚目は、水に浸からない構造とすることで、水槽の水に浸かっていない部分、つまり送風される空気が通過する保水部の面積の減少を抑制できる。
【００２８】
また、加湿フィルタ１１は、２枚の第１の層１３の間に第２の層１４を挟んだ３層構造であり、第２の層１４は第１の層１３に対し垂直方向の複数の連結糸により形成し、これらの連結糸に囲まれた複数の通風路である連通孔１５を備えた加湿フィルタ１１で形成することを特徴としている。以上のように構成された連通孔１５を構成している複数の連結糸には、加湿フィルタ１１が回動したときに水槽９から加湿フィルタ１１上方にくみ上げられた除菌電解水が加湿フィルタ１１全体に毛細管現象によって浸み込まれる。従って、保持された除菌電解水が加湿フィルタ１１を通過する際、空気との接触効率が高まり、除菌することができる。
【００２９】
また、運転時に外側から２枚目までに水が浸かり、加湿フィルタ１１が回動するとき吸いあがる除菌電解水は、加湿フィルタ１１に十分染み込んだ状態で通風路上部まで持ち上がり、また外側から３枚目の加湿フィルタ１１は除菌電解水に浸かっていない加湿フィルタ１１へも除菌電解水がしみこんでいくので、通風路である連通孔１５を塞ぐような抵抗にはならず除菌性能を効率よく発揮することが可能である。
【００３０】
また、加湿フィルタ１１を、複数枚重ねて形成することにより、接触効率が増し、除菌効果が高くなる。すなわち、加湿フィルタ１１は、単数においては、連結糸に囲まれた複数の連通孔１５の開口部の圧力損失が小さく空気が容易に通過してしまう。これを複数重ね合わせることで、１層の加湿フィルタ１１の連通孔１５の開口面積は、層が内側にいくに従い狭くなっていく。これにより、複数枚重ねられた加湿フィルタ１１を通過する空気は、この開口部の大きさの違いにより抵抗を受け、除菌電解水との接触が大きくなることで、接触効率が増し、除菌効果が高くなる。
【００３１】
また、加湿フィルタ１１の円筒形状の取付枠１０の内方には、複数の風向変更手段を所定の位置に設け、これら風向変更手段のうち最下部に位置する風向変更手段は、送風手段４の送風方向における風上側から風下側に向けて下方向へ傾斜することを特徴とする。具体的には、加湿フィルタ１１の取付枠１０内方に設けられた風向板１９は、取付枠１０の側面側から見たときの所定の半径の円周上に、円周長を４等分にした位置に静止状態において、平板形状の風向板１９を上下左右１枚づつ設け、合計４枚配置される構成となる。以上のように構成された加湿フィルタ１１の取付枠１０内方に設けられた風向板１９において、最下部に位置する風向板１９は、送風方向における風上側から風下側に向けて下方向へ傾斜して取付られ、風向板１９に空気が抵抗をうけながら下方向に流れていく。従って電解除菌水と空気との接触時間が増し、除菌効果が高く得られる。
【産業上の利用可能性】
【００３２】
本発明によれば、吸気口と吹出口とを有する本体ケースと、この本体ケース内に、前記吸気口から前記吹出口に送風する送風手段と、この送風手段の送風路に保水手段を設け、この保水手段は水槽と、この水槽に常に所定水位まで給水する給水部と、前記水槽の水に一部が浸漬した略円筒形状の吸い上げ式の保水部と、この保水部を固定する取付枠と、この取付枠を回動させる回転手段とから形成し、前記水槽には除菌手段を設け、前記除菌手段は、前記水槽の水に常に浸かるように設けた電極板と、この電極板に電圧を印加する電圧印加部とから形成し、前記保水部は、前記保水部の内面から所定の距離までは、前記水槽の水に浸漬しないことを特徴とすることにより、除菌効率をさらに高くすることができるものである。
【００３３】
すなわち、保水部の内面から所定の距離まで水槽の水に浸漬しない構成としたので、水槽の水に浸かっていない部分、つまり送風される空気が通過する保水部の面積の減少を抑制できると共に、保水部は吸い上げ式なので、水に浸かっていない部分にも水が吸い上げられ、更に、保水部を回動させることにより吸水した水は、上方に持ち上げられ、除菌電解水を保水部全体に保水させることができる。結果として、保水部分が空気と十分接触することにより、除菌効率をさらに高くすることができる。
【符号の説明】
【００３４】
１    本体ケース
２    吸気口
３    吹出口
４    送風手段
５    保水手段
６    給水タンク
７    除菌手段
８    送風ケース
９    水槽
１０  取付枠
１１  加湿フィルタ
１２  回転手段
１３  第１の層
１４  第２の層
１５  連通孔
１６  本体正面ケース
１７  電極板
１８  電圧印加部
１９  風向板
【図１】
2013044458.tif 000003
【図２】
2013044458.tif 000004
【図３】
2013044458.tif 000005
【図４】
2013044458.tif 000006